(57)【要約】【課題】亀頭の露出状態を長期間に亘って維持するとともに、快適な装着感を実現する。【解決手段】陰茎１０に装着される包茎矯正リング１は、亀頭１１と陰茎体部１２との間のくびれ部１３に装着され、略環状の中空部を有する弾性部材からなるリング部２と、このリング部から陰茎体部１２に向けて延び、亀頭１１を露出させた際にこの亀頭を覆っていた陰茎１０の包皮１４が収納可能な収納空間Ｓを内部に有する傘部３とを有する。【選択図】  図６
2019136200.tif 000002
【特許請求の範囲】
【請求項１】
陰茎に装着される包茎矯正リングであって、
亀頭と陰茎体部との間のくびれ部に装着され、略環状の中空部を有する弾性部材からなるリング部と、
このリング部から前記陰茎体部に向けて延び、前記亀頭を露出させた際にこの亀頭を覆っていた前記陰茎の包皮が収納可能な収納空間を内部に有する傘部と
を有することを特徴とする包茎矯正リング。
【請求項２】
前記リング部は略円環状に形成され、
前記傘部は、前記リング部の側と反対側の端部が前記リング部より大径に形成された帯状部材からなる
ことを特徴とする請求項１記載の包茎矯正リング。
【請求項３】
前記リング部はその内周部の一部が外方に膨出する膨出部を有することを特徴とする請求項１または２記載の包茎矯正リング。
【発明の詳細な説明】
【技術分野】
【０００１】
この発明は、陰茎に装着される包茎矯正リングに関する。
【背景技術】
【０００２】
いわゆる仮性包茎を含む包茎状態にある陰茎に対して、亀頭部分を覆っている包皮を陰茎体部側に移動させた状態で固定し、亀頭の露出状態を維持させる器具は公知である。このような器具の一例として、亀頭と陰茎体部との間のくびれ部に装着される弾性リングを備えたものや（特許文献１参照）、陰茎体部側に移動させた包皮の外周を覆う帯状リングを備えたもの（特許文献２参照）が知られている。
【先行技術文献】
【特許文献】
【０００３】
【特許文献１】特開２００４−８１２２９号公報
【特許文献２】特開２００９−１７５号公報
【発明の概要】
【発明が解決しようとする課題】
【０００４】
しかしながら、上述した従来の器具にはいずれも改善すべき点が存在した。まず、特許文献１に開示された器具では、陰茎体部側に移動させた状態で固定した包皮が、包皮の弾性により弾性リングを乗り越えて亀頭側に戻ってしまうことがあり、亀頭の露出状態を維持することが困難な場合があった。
【０００５】
また、特許文献２に開示された器具では、帯状リングにより常時陰茎を締め付けることになり、装着時の締め付け感が人によっては不快に感じることがあった。
【０００６】
そこで、この発明は、亀頭の露出状態を長期間に亘って維持することが可能であるとともに、快適な装着感を実現することの可能な包茎矯正リングを提供することを目的とするものである。
【課題を解決するための手段】
【０００７】
この目的を達成するため、本発明は、陰茎に装着される包茎矯正リングにおいて、亀頭と陰茎体部との間のくびれ部に装着され、略環状の中空部を有する弾性部材からなるリング部と、このリング部から陰茎体部に向けて延び、亀頭を露出させた際にこの亀頭を覆っていた陰茎の包皮が収納可能な収納空間を内部に有する傘部とを有することを特徴とする。
【０００８】
ここで、リング部が略円環状に形成され、傘部が、リング部の側と反対側の端部がリング部より大径に形成された帯状部材からなるとよい。
【０００９】
また、リング部はその内周部の一部が外方に膨出する膨出部を有するとよい。
【発明の効果】
【００１０】
このような本発明の包茎矯正リングは、亀頭と陰茎体部との間のくびれ部に装着され、略環状の中空部を有する弾性部材からなるリング部と、このリング部から陰茎体部に向けて延び、亀頭を露出させた際にこの亀頭を覆っていた陰茎の包皮が収納可能な収納空間を内部に有する傘部とを有する。
【００１１】
上記した構成なので、収納空間に収納された包皮はリング部により亀頭へ戻ることが阻止され、亀頭の露出状態が維持される。また、包茎矯正リングはそのリング部が陰茎のくびれ部に装着され、傘部は陰茎を拘束していない。従って、包茎矯正リング装着時の陰茎への締め付けを低減させることができる。これにより、亀頭の露出状態を長期間に亘って維持することが可能であるとともに、快適な装着感を実現することが可能となる。
【００１２】
ここで、リング部が略円環状に形成され、傘部が、リング部の側と反対側の端部がリング部より大径に形成された帯状部材からなるので、簡易な構成でありながら亀頭の露出状態を長期間に亘って維持することが可能であるとともに、快適な装着感を実現することが可能となる。
【００１３】
また、リング部の内周部の一部が外方に膨出する膨出部を有するので、他の部分と比較して、膨出部及びその近傍においてリング部が容易に伸長することができる。これにより、尿道が膨出部の近傍に来るように包茎矯正リングの装着位置を調整することで、包茎矯正リングを陰茎に装着した状態で排尿時等において尿道への負担を軽減することができる。
【図面の簡単な説明】
【００１４】
【図１】本発明の実施の形態である包茎矯正リングを示す斜視図である。
【図２】図１のＡ−Ａ矢視断面図である。
【図３】実施の形態である包茎矯正リングを陰茎に装着した状態を示す斜視図である。
【図４】実施の形態である包茎矯正リングを陰茎に装着した状態を示す斜視図である。
【図５】実施の形態である包茎矯正リングを陰茎に装着した状態を示す斜視図である。
【図６】実施の形態である包茎矯正リングを陰茎に装着した状態を示す一部断面斜視図である。
【発明を実施するための形態】
【００１５】
以下、本発明の実施の形態である包茎矯正リングを、図１〜図６を参照して説明する。
【００１６】
図１は本発明の実施の形態である包茎矯正リングを示す斜視図、図２は図１のＡ−Ａ矢視断面図である。
【００１７】
これら図に示すように、本実施の形態である包茎矯正リング１は、外形略円環状に形成されたリング部２と、このリング部２と一体に成型された帯状部材からなる傘部３とを有する。
【００１８】
リング部２は、図６に最もよく示すように、陰茎１０に装着された際に、亀頭１１と陰茎体部１２との間のくびれ部１３の外周部に装着される。そして、リング部２の内径は、このくびれ部１３の外径と略等しくされている。くびれ部１３は、亀頭１１及び陰茎体部１２よりやや小径であるから、リング部２がこのくびれ部１３の外周部に装着されることで、包茎矯正リング１は全体として陰茎１０の前後方向への移動が規制された状態でこの陰茎１０に装着されることになる。
【００１９】
傘部３は、その側面３ａが外方に向けて突出する曲面に形成され、リング部２の側（図２において上端側）と反対側の端部３ｂ（図２において下端部）がリング部２よりも大径の略円環状に形成されている。これにより、傘部３は、全体として椀状に形成され、さらに、図２において上端部から下端部に向けて拡開する傘状に形成されている。
【００２０】
傘部３は、図５及び図６に最もよく示すように、包茎矯正リング１が陰茎１０に装着された状態で、リング部２から陰茎体部１２に向けて延び、かつ、亀頭１１を露出させた際にこの亀頭１１を覆っていた包皮１４が収納可能な収納空間Ｓを内部に有する。
【００２１】
また、図１及び図４に最もよく示すように、リング部２の内周部２ａには、その一部に外方に膨出する膨出部２ｂが形成されている。本実施の形態であるリング部２では、その外径部２ｃは全て同一径に形成されているので、この膨出部２ｂはリング部２の内周部２ａの一部を切り欠いた切欠部でもある。
【００２２】
さらに、図１に最もよく示すように、傘部３の側面３ａには、包茎矯正リング１を上面視した状態で放射状に延びる複数の突条３ｃが形成され、さらに、同様に上面下状態で同心円状に延びる複数の凹溝３ｄが形成されている。突条３ｃは、後述するように本実施の形態である包茎矯正リング１を使用したとき、収納空間Ｓ内に包皮１４が収納された際に、この包皮１４が元に戻る力を傘部３に与えても、この傘部３がめくれ上がらないように傘部３を補強する作用を有する。
【００２３】
本実施の形態である包茎矯正リング１は弾性部材、一例としてシリコンゴム等から形成されている。
【００２４】
上述した本実施の形態である包茎矯正リング１を陰茎１０に装着するには、図３〜図６に示すように、亀頭１１を覆っていた包皮１４を陰茎体部１２側に後退させて亀頭１１を露出させ、この状態で亀頭１１と陰茎体部１２との間のくびれ部１３の外周部に包茎矯正リング１のリング部２を装着する。
【００２５】
この際、亀頭１１の図６において下部、図４において前方には図略の尿道が通っているので、尿道の近傍にリング部２の膨出部２ｂが至るように（図４参照）、包茎矯正リング１を陰茎１０に装着する際の膨出部２ｂの位置を調整することが好ましい。
【００２６】
くびれ部１３の外周部にリング部２を装着すると、図６に示すように、陰茎体部１２側に後退させられた包皮１４は、傘部３の内部に形成された収納空間Ｓ、より正確には傘部３と陰茎体部１２との間の空間に収まる。しかも、リング部２により収納空間Ｓに収納された包皮１４はリング部２によりその前方、つまり亀頭１１に戻ることが阻止される。
【００２７】
以降は、この包茎矯正リング１を陰茎１０に装着した状態で日常生活を送ることができ、包皮１４が亀頭１１に戻ることなく亀頭１１の露出状態を維持することができる。
【００２８】
以上説明したように、本実施の形態である包茎矯正リング１は、亀頭１１と陰茎体部１２との間のくびれ部１３に装着され、略環状の中空部を有する弾性部材からなるリング部２と、このリング部２から陰茎体部１２に向けて延び、亀頭１１を露出させた際にこの亀頭１１を覆っていた陰茎１０の包皮１４が収納可能な収納空間Ｓを内部に有する傘部３とを有する。
【００２９】
上記した構成なので、収納空間Ｓに収納された包皮１４はリング部２により亀頭１１へ戻ることが阻止され、亀頭１１の露出状態が維持される。また、包茎矯正リング１はそのリング部２が陰茎１０のくびれ部１３に装着され、傘部３は陰茎１０を拘束していない。従って、包茎矯正リング１装着時の陰茎１０への締め付けを低減させることができる。これにより、亀頭１１の露出状態を長期間に亘って維持することが可能であるとともに、快適な装着感を実現することが可能となる。
【００３０】
ここで、リング部２が略円環状に形成され、傘部３が、リング部２の側と反対側の端部３ｂがリング部２より大径に形成された帯状部材からなるので、簡易な構成でありながら亀頭１１の露出状態を長期間に亘って維持することが可能であるとともに、快適な装着感を実現することが可能となる。
【００３１】
また、リング部２の内周部２ａの一部が外方に膨出する膨出部２ｂを有するので、他の部分と比較して、膨出部２ｂ及びその近傍においてリング部２が容易に伸長することができる。これにより、尿道が膨出部２ｂの近傍に来るように包茎矯正リング１の装着位置を調整することで、包茎矯正リング１を陰茎１０に装着した状態で排尿時等において尿道への負担を軽減することができる。
【００３２】
さらに、傘部３のリング部２の側と反対側の端部３ｂがリング部２より大径に形成されているので、この端部３ｂ側が大きく開口した状態で包茎矯正リング１を陰茎１０に装着することができる。これにより、傘部３の内部に形成された収納空間Ｓの風通しを確保することができ、収納空間Ｓ内の包皮１４が蒸れることなく清潔状態を維持することができる。
【００３３】
なお、装着者の陰茎１０のサイズや包皮１４の大きさ、厚さによって、必要とされる収納空間Ｓの大きさは異なりうる。このため、本実施の形態である包茎矯正リング１では、傘部３の長さ（図６において左右の幅）を大きく形成しており、装着者のサイズ等に応じて、凹溝３ｄを目安に傘部３をその端部３ｂ側から切断することが可能である。
【００３４】
以上、図面を参照して、本発明の実施形態を詳述してきたが、具体的な構成は、この実施形態及び実施例に限らず、本発明の要旨を逸脱しない程度の設計的変更は、本発明に含まれる。
【００３５】
一例として、上述の実施の形態である包茎矯正リング１はシリコンゴム等から形成されていたが、包茎矯正リング１を形成する材質はシリコンゴム等に限定されず、弾性を有する材質であれば適宜選択が可能である。
【００３６】
また、上述の実施の形態である包茎矯正リング１ではリング部２と傘部３とを一体成形していたが、例えばリング部２をゴム等の弾性部材から形成し、傘部３をプラスチック等の弾性部材と異なる部材から形成してもよい。
【符号の説明】
【００３７】
１    包茎矯正リング
２    リング部
２ａ    内周部
２ｂ    膨出部
３    傘部
３ｂ    端部
１０    陰茎
１１    亀頭
１２    陰茎体部
１３    くびれ部
１４    包皮
Ｓ    収納空間
【図１】
2019136200.tif 000003
【図２】
2019136200.tif 000004
【図３】
2019136200.tif 000005
【図４】
2019136200.tif 000006
【図５】
2019136200.tif 000007
【図６】
2019136200.tif 000008